(57)【要約】【課題】組立箱の内フラップ及び外フラップを開いた状態でも前板が前方へ倒れないようにする。【解決手段】組立箱１は、一枚の包装用板紙を折り曲げて組み立てられるものであり、底板２と、後板３と、後外フラップ５と、外側板６と、内底板７とを備える。内底板７は外側板６に対して内側へ折り曲げられ、外側板６は後板３に対して内側へ折り曲げられ、内底板７が底板上に配置される。両内底板７の先端は、係合部７ａ，７ｂで係合される。底板２の前端縁に連設して起立する前板４の上端縁には、前外フラップ１０が連設される。前板４の左右両側縁には内側板１１が連設される。内側板１１は前板４に対して内側へ折り曲げられ、外側板６の内面に重ねられる。外側板６の上端縁には内フラップ８が連設され、内フラップ８には、差込部９が設けられる。内側板１１の上端縁には差し込み片１２が連設され、差し込み片１２を差込部９に差し込む。【選択図】図１
2013133109.tif 000002
【特許請求の範囲】
【請求項１】
矩形状の底板の後端縁に連設する後板を前記底板に対して起立させ、
前記後板の左右両側縁に外側板が夫々連設され、
該外側板の下端縁に内底板が夫々連設され、
該内底板を前記外側板に対して内側へ直角に折り曲げ、
前記外側板を前記後板に対して内側へ直角に折り曲げて、前記内底板が前記底板上に配置され、
両内底板の向かい合う先端には、互いに係合するように係合部が設けられ、
前記後板の上端縁には、後外フラップが設けられ、
前記底板の前端縁に連設する前板を前記底板に対して起立させ、
前記前板の上端縁に前外フラップが連設され、
前記前板の左右両側縁に内側板が夫々連設され、
該内側板を前記前板に対して内側へ直角に夫々折り曲げて、該内側板を前記外側板の内面に重ね合わせ、
前記外側板又は前記内側板の上端縁に内フラップが夫々連設され、
該内フラップには、差込部が夫々設けられ、
前記内側板又は前記外側板の上端縁に連設された差し込み片を、前記差込部に夫々差し込むことを特徴とする組立箱。
【請求項２】
矩形状の底板の後端縁に連設する後板を前記底板に対して起立させ、
前記後板の左右両側縁に外側板が夫々連設され、
該外側板の下端縁に内底板が夫々連設され、
該内底板を前記外側板に対して内側へ直角に折り曲げ、
前記外側板を前記後板に対して内側へ直角に折り曲げて、前記内底板が前記底板上に配置され、
両内底板の向かい合う先端には、互いに係合するように係合部が設けられ、
前記後板の上端縁には、後外フラップが設けられ、
前記外側板の上端縁に第１内フラップが夫々連設され、
前記底板の前端縁に連設する前板を前記底板に対して起立させ、
前記前板の上端縁に前外フラップが連設され、
前記前板の左右両側縁に内側板が夫々連設され、
該内側板を前記前板に対して内側へ直角に夫々折り曲げて、該内側板を前記外側板の内面に重ね合わせ、
前記内側板の上端縁に前記第１内フラップの内面に重ね合わされる第２内フラップが夫々連設され、
前記第１内フラップと前記第２内フラップのうち何れか一方に、板厚方向に押し込むことにより、突出する差し込み片が設けられ、他方に、該差し込み片が差し込まれる差込部が設けられることを特徴とする組立箱。
【発明の詳細な説明】
【技術分野】
【０００１】
本発明は、板材を折り曲げて形成される組立箱に関する。
【背景技術】
【０００２】
従来の段ボール製包装用の組立箱としては、矩形状の底板の後端縁に沿って起立する後板と、後板の上端縁に連設された外フラップと、後板の左右両側縁に連設された外側板と、外側板の上端縁に連設された内フラップと、外側板の下端縁に連設された内底板とを備え、内底板を外側板に対して内側へ直角に折り曲げ、外側板を後板に対して直角に折り曲げることにより、内底板を底板上に配置し、両内側板の先端を互いに係合させたものが知られている（例えば、特許文献１参照）。
【０００３】
この組立箱では、底板の前端縁に沿って起立する前板と、前板の左右両側縁に連設された内側板と、前板の上端縁に連設されたオーバーフラップと、オーバーフラップの先端に設けられた差し込み片とが設けられている。そして、内フラップと外フラップを閉じた状態で、オーバーフラップの差し込み片を、外フラップと後板との間に設けられた差込孔に差し込むことにより、組立箱の上面が閉じられる。
【先行技術文献】
【特許文献】
【０００４】
【特許文献１】実用新案登録第３１４２２４９号
【発明の概要】
【発明が解決しようとする課題】
【０００５】
従来の組立箱では、オーバーフラップの先端に設けられた差し込み片を差込孔に差し込まなければ、前板が起立した状態を維持できない。このため、オーバーフラップを開いた状態で上方から収容物を組立箱内に入れるとき、前板に前方への力が加わると、前板が容易に前方へ倒れてしまい、組立箱内に収容物を収容し難いという問題がある。
【０００６】
本発明は、以上の点に鑑み、組立箱の上方の内フラップ及び外フラップを開いた状態でも前板が前方に倒れることを防止できる組立箱を提供することを目的とする。
【課題を解決するための手段】
【０００７】
上記目的を達成するため、本発明の第１態様は、矩形状の底板の後端縁に連設する後板を前記底板に対して起立させ、前記後板の左右両側縁に外側板が夫々連設され、該外側板の下端縁に内底板が夫々連設され、該内底板を前記外側板に対して内側へ直角に折り曲げ、前記外側板を前記後板に対して内側へ直角に折り曲げて、前記内底板が前記底板上に配置され、両内底板の向かい合う先端には、互いに係合するように係合部が設けられ、前記後板の上端縁には、後外フラップが設けられ、前記底板の前端縁に連設する前板を前記底板に対して起立させ、前記前板の上端縁に前外フラップが連設され、前記前板の左右両側縁に内側板が夫々連設され、該内側板を前記前板に対して内側へ直角に夫々折り曲げて、該内側板を前記外側板の内面に重ね合わせ、前記外側板又は前記内側板の上端縁に内フラップが夫々連設され、該内フラップには、差込部が夫々設けられ、前記内側板又は前記外側板の上端縁に連設された差し込み片を、前記差込部に夫々差し込むことを特徴とする。
【０００８】
本発明の第２態様は、矩形状の底板の後端縁に連設する後板を前記底板に対して起立させ、前記後板の左右両側縁に外側板が夫々連設され、該外側板の下端縁に内底板が夫々連設され、該内底板を前記外側板に対して内側へ直角に折り曲げ、前記外側板を前記後板に対して内側へ直角に折り曲げて、前記内底板が前記底板上に配置され、両内底板の向かい合う先端には、互いに係合するように係合部が設けられ、前記後板の上端縁には、後外フラップが設けられ、前記外側板の上端縁に第１内フラップが夫々連設され、前記底板の前端縁に連設する前板を前記底板に対して起立させ、前記前板の上端縁に前外フラップが連設され、前記前板の左右両側縁に内側板が夫々連設され、該内側板を前記前板に対して内側へ直角に夫々折り曲げて、該内側板を前記外側板の内面に重ね合わせ、前記内側板の上端縁に前記第１内フラップの内面に重ね合わされる第２内フラップが夫々連設され、前記第１内フラップと前記第２内フラップのうち何れか一方に、板厚方向に押し込むことにより、突出する差し込み片が設けられ、他方に、該差し込み片が差し込まれる差込部が設けられることを特徴とする。
【０００９】
本発明の第１態様によれば、内側板又は外側板の上端縁に連設された差し込み片が、内フラップに設けられた差込部に差し込まれることにより、内側板が差し込み片及び差込部、内フラップを介して外側板に固定される。また、本発明の第２態様によれば、第１内フラップと第２内フラップとが差し込み片及び差込部により固定されることにより、内側板と外側板とが固定される。従って、本発明によれば、組立箱の上方の内フラップ及びを外フラップを開いた状態でも前板が前方に倒れることを防止できる。
【図面の簡単な説明】
【００１０】
【図１】本発明の第１実施形態の組立箱をフラップを開いた状態で示す斜視図。
【図２】第１実施形態の組立箱の展開図。
【図３】第１実施形態の組立箱を組み立てるときの、後板を起立させた状態を示す斜視図。
【図４】第１実施形態の組立箱を組み立てるときの、両内底板の先端を係合させた状態を示す斜視図。
【図５】第１実施形態の組立箱を組み立てるときの、前板を起立させる状態を示す斜視図。
【図６】本発明の第２実施形態の組立箱をフラップを開いた状態で示す斜視図。
【図７】第２実施形態の組立箱の展開図。
【図８】第２実施形態の組立箱を組み立てるときの、前板を起立させる状態を示す斜視図。
【発明を実施するための形態】
【００１１】
［第１実施形態］
図１に示すように、本発明の第１実施形態の組立箱１は略直方体からなり、段ボール等の一枚の包装用板紙を図２に示す形状に打ち抜いて形成している。図１では、組立箱１の外フラップ５，１０及び内フラップ８を開いた状態で示している。図２に示すように、矩形状の底板２の後側縁には、後板３が折目線ａを介して連設され、底板２の前側縁には、前板４が折目線ｂを介して連設されている。
【００１２】
後板３の後側縁には、後外フラップ５が折目線ｃを介して連設されている。後板３の左右側縁には、外側板６，６が折目線ｄを介して夫々連設されている。外側板６，６には、取手孔６ａ，６ａが夫々設けられている。外側板６，６の前端縁には、内底板７，７が折目線ｅを介して夫々連設されている。一方の内底板７の前端（先端）には、前方（先方）に向かって次第に幅が広く形成された凸部７ａが設けられている。他方の内底板７の前端（先端）には、凸部７ａの形状に対応させて前方（先方）に向かって次第に幅が狭くなるように形成された凹部７ｂが設けられている。
【００１３】
外側板６，６の後端縁（上端縁）には、内フラップ８が折目線ｆを介して夫々連設されている。内フラップ８，８には、矩形状の切り欠き孔から成る差込部９，９が夫々設けられている。各差込部９，９の後端縁には、前方に向かって延びる押え片９ａが折目線ｇを介して夫々連設されている。
【００１４】
前板４の前端縁（上端縁）には、前外フラップ１０が折目線ｈを介して連設されている。前板４の左右両側縁には、内側板１１が折目線ｉを介して夫々連設されている。内側板１１，１１には、外側板６に穿設された取手孔６ａに対応する個所に位置させて取手孔１１ａ，１１ａが夫々設けられている。
【００１５】
内側板１１の前端縁（上端縁）には、差し込み片１２が折目線ｊを介して連設されている。差し込み片１２の左右方向幅の寸法は、差込部９の左右方向幅の寸法よりも若干小さく設定され、差し込み片１２の左右側縁の前方部（先端部）には、左右方向に突出する突部１２ａが設けられている。
【００１６】
次に、図２から図５を参照して、第１実施形態の組立箱１の組み立てについて説明する。まず、図３に示すように、後板３を底板２に対して折目線ａで折り曲げて起立させると共に、外側板６を内底板７に対して折目線ｅで折り曲げて起立させる。そして、外側板６，６を後板３に対して直角となるように内側へ折目線ｄで夫々折り曲げる。このとき、内底板７，７は底板２の内面（上面）の上に配置される。
【００１７】
そして、図４に示すように、凸部７ａと凹部７ｂとを係合させる。第１実施形態においては、凸部７ａと凹部７ｂとが本発明の係合部に該当する。なお、本発明の係合部は、第１実施形態で示した形状に限らず、例えば、凸部を円盤状に形成し、凹部を凸部の円盤状に対応した形状としてもよい。
【００１８】
次に、図５に示すように、内側板１１を前板４に対して直角となるように折目線ｉで内側に折り曲げ、前板４を底板２に対して起立するように折目線ｂを介して内側に折り曲げる。このとき、内側板１１は外側板６の内面に重ねられる。
【００１９】
そして、差し込み片１２を差込部９に押え片９ａを外側に押し出すように差し込む。差し込み片１２が差込部９に完全に差し込まれると、押え片９ａは差し込み片１２の内側に回り込む。そして、図１に示したように、差し込み片１２の一対の突部１２ａが差込部９の外縁近傍の内フラップ８の外面に引っ掛かり、差し込み片１２が差込部９から抜け出すことを防止する。また、押え片９ａも差し込み片１２が内フラップ８の内側へ移動することを阻止するため、より確実に差し込み片１２が差込部９から抜け出ることが防止される。
【００２０】
第１実施形態の組立箱１によれば、内側板１１の上端縁に連設された差し込み片１２が、内フラップ８に設けられた差込部９に差し込まれることにより、内側板１１が差し込み片１２及び差込部９、内フラップ８を介して外側板６に固定される。これにより、本実施形態の組立箱１によれば、組立箱１の上方の内フラップ８及び外フラップ５，１０を開いたままの状態でも前板４が前方に倒れることを防止できる。
【００２１】
なお、第１実施形態の組立箱１においては、内フラップ８を外側板６の後端縁（上端縁）に連設し、差し込み片１２を内側板１１の前端縁（上端縁）に連設したものを説明したが、本発明の構成はこれに限らない。例えば、内フラップを内側板の上端縁に連設し、差し込み片を外側板の上端縁に連設してもよい。この場合、内側板に連設された内フラップに差込部を設ければよい。
【００２２】
また、押え片９ａは省略してもよい。押さ片を省略する場合には、差込部の図２における前後方向の寸法を、差し込み片の前後方向の寸法よりも小さくしてもよい。これにより、差し込み片を差込部に差し込んだときに、差し込み片の先端部を差込部の外縁近傍の内フラップの外面に引っ掛けることができる。
【００２３】
［第２実施形態］
次に図６〜図８を参照して、本発明の第２実施形態の組立箱１’を説明する。なお、第１実施形態の組立箱１と同一の構成については同一の符号を付してその説明を省略する。図６に示す第２実施形態の組立箱１’は、略直方体からなり、段ボール等の一枚の包装用板紙を図７に示す形状に打ち抜いて形成している。図６では、組立箱１’の外フラップ５，１０及び内フラップ８１，８２を開いた状態で示している。
【００２４】
図７の展開図を参照して、第２実施形態の組立箱１’では、外側板６，６の後端縁（上端縁）に折目線ｆを介して第１内フラップ８１が連設されている。第１内フラップ８１には、略Ｕ字状の切り込み線８１ａが設けられている。この切り込み線８１ａの部分を板厚方向に押し込むことにより、左右方向外側が折目線ｋを介して第１内フラップ８１に連設された差し込み片１２が、第１内フラップ８１から板厚方向に飛び出した状態で形成される。
【００２５】
内側板１１の前端縁（上端縁）には、第２内フラップ８２が折目線ｌを介して連設されている。第２内フラップ８２には、差し込み片１２に対応する個所に位置させて、矩形状の切り欠き孔から成る差込部９，９が夫々設けられている。各差込部９，９の左右方向外側の端縁には、左右方向内方に向かって延びる押え片９ａが折目線ｍを介して夫々連設されている。
【００２６】
他の構成は全て第１実施形態の組立箱１と同一に構成される。
【００２７】
次に図８を参照して、第２実施形態の組立箱１’の組み立てについて説明する。まず、後板３を底板２に対して折目線ａで折り曲げて起立させると共に、外側板６を内底板７に対して折目線ｅで折り曲げて起立させる。そして、外側板６，６を後板３に対して直角となるように内側へ折目線ｄで夫々折り曲げる。このとき、内底板７，７は底板２の内面（上面）の上に配置される。
【００２８】
そして、凸部７ａと凹部７ｂとを係合させる。第２実施形態においても、凸部７ａと凹部７ｂとが本発明の係合部に該当する。なお、本発明の係合部は、第２実施形態で示した形状に限らず、例えば、凸部を円盤状に形成し、凹部を凸部の円盤状に対応した形状としてもよい。
【００２９】
次に、図８に示すように、内側板１１を前板４に対して直角となるように折目線ｉで内側に折り曲げ、前板４を底板２に対して起立するように折目線ｂを介して内側に折り曲げる。このとき、内側板１１は外側板６の内面に重ねられる。また、第２内フラップ８２も第１内フラップ８１の内面に重ねられる。
【００３０】
そして、差し込み片１２を差込部９に押え片９ａを内側に押し出すように差し込む。差し込み片１２が差込部９に完全に差し込まれると、押え片９ａは差し込み片１２の外側に回り込む。そして、図６に示したように、差し込み片１２の一対の突部１２ａが差込部９の外縁近傍の第２内フラップ８２の内面に引っ掛かり、差し込み片１２が差込部９から抜け出すことを防止する。また、押え片９ａも差し込み片１２が第２内フラップ８２の外側へ移動することを阻止するため、より確実に差し込み片１２が差込部９から抜け出ることが防止される。
【００３１】
第２実施形態の組立箱１’によれば、第１内フラップ８１に設けられた差し込み片１２が、第２内フラップ８２に設けられた差込部９に差し込まれることにより、内側板１１が、第２内フラップ８２及び差込部９、差し込み片１２、第１内フラップ８１を介して外側板６に固定される。これにより、本実施形態の組立箱１’によれば、組立箱１の上方の内フラップ８１，８２及び外フラップ５，１０を開いたままの状態でも前板４が前方に倒れることを防止できる。
【００３２】
なお、第２実施形態の組立箱１’においては、第１内フラップ８１に差し込み片１２を設け、第２内フラップに差込部９を設けたものを説明したが、本発明の構成はこれに限らない。例えば、第１内フラップに差込部を設け、第２内フラップに差し込み片を設けてもよい。
【００３３】
また、押え片９ａは省略してもよい。押さ片を省略する場合には、差込部の図７における左右方向の寸法を、差し込み片の左右方向の寸法よりも小さくしてもよい。これにより、差し込み片を差込部に差し込んだときに、差し込み片の先端部を差込部の外縁近傍の第２内フラップの内面に引っ掛けることができる。
【符号の説明】
【００３４】
１，１’…組立箱、２…底板、３…後板、４…前板、５…後外フラップ、６…外側板、６ａ…取手孔、７…内底板、７ａ…凸部、７ｂ…凹部、８…内フラップ、８１…第１内フラップ、８１ａ…切り込み線、８２…第２内フラップ、９…差込部、９ａ…押え片、１０…前外フラップ、１１…内側板、１１ａ…取手孔、１２…差し込み片、１２ａ…突部、ａ，ｂ，ｃ，ｄ，ｅ，ｆ，ｇ，ｈ，ｉ，ｊ，ｋ，ｌ，ｍ…折目線。
【図１】
2013133109.tif 000003
【図２】
2013133109.tif 000004
【図３】
2013133109.tif 000005
【図４】
2013133109.tif 000006
【図５】
2013133109.tif 000007
【図６】
2013133109.tif 000008
【図７】
2013133109.tif 000009
【図８】
2013133109.tif 000010